(57)【要約】【課題】  携帯電話機の通話状態に応じて画面表示を切り替えることで、通話中の使用者にとって視認し易い画面表示を行う携帯電話機、あるいは携帯電話機の表示方向制御プログラムを提供する。【解決手段】タッチパネル上に表示した操作ボタンを用いて操作を行い、加速度センサによって認識された端末の地面に対する角度に応じて操作ボタンの表示位置を切り替える携帯電話機において、通話処理中であってタッチパネル上に終話ボタンを表示している場合は、端末が横方向へ傾いた場合であっても終話ボタンの位置移動を行わない。一方、ヘッドセットなどの通話に用いられる外部機器を接続している際には、端末の角度に応じて終話ボタンの位置移動を行う。【選択図】図３
2010263433.tif 000002
【特許請求の範囲】
【請求項１】
入力を受け付ける入力受付手段と、
基地局との無線通信回線を通じて通話を行う通信手段と、
図形および文字を表示する表示部と、
前記表示部の表示方向を、第１の表示方向あるいは第２の表示方向へ変更する第１の表示制御手段とを備えた携帯電話機であって、
前記通話手段による通話を開始する際に、前記表示部の表示方向を前記第１の表示方向にするよう前記表示部を制御する第２の表示制御手段とを備えたことを特徴とする携帯電話機。
【請求項２】
入力を受け付ける入力受付手段と、
基地局との無線通信回線を通じて通信を行う通信手段と、
図形および文字を表示する表示部と、
前記表示部の表示方向を、第１の表示方向あるいは第２の表示方向へ変更する第１の表示制御手段とを備えた携帯電話機であって、
前記入力受付手段による前記通話を行う入力がなされたことを契機に、前記表示部の表示方向を前記第１の表示方向にするよう前記表示部を制御する第２の表示制御手段とを備えたことを特徴とする携帯電話機。
【請求項３】
当該携帯電話機の一方側に設けられた送話部と、
前記表示部を間に挟んで反対側に設けられた受話部とを更に備え、
前記第１の表示方向は、前記表示部における前記送話部が設けられた側の一辺を上端、前記受話部が設けられた側の一辺を下端とした方向であり、
前記第２の表示方向は、前記表示部における表示面に垂直な方向を軸として、前記第1の
表示方向に対して左右いずれかの方向に略９０度回転させた方向であることを特徴とする請求項１または２に記載の携帯電話機。
【請求項４】
前記第２の表示制御手段は、
前記通話の間は、前記表示部の表示方向を前記第１の表示方向にするよう前記表示部を制御することを特徴とする請求項１乃至３のいずれか１項に記載の携帯電話機。
【請求項５】
地面に対する傾き情報を出力する加速度センサを更に備え、
前記第１の表示制御手段は、前記加速度センサの検知結果によって得られた前記表示部の傾き情報に基づいて、前記表示部の表示方向の変更を行うことを特徴とする請求項１乃至４のいずれか１項に記載の携帯電話機。
【請求項６】
前記第２の表示制御手段は、前記通話の間は前記加速度センサによる前記傾き情報の出力を停止することを特徴とする請求項５に記載の携帯電話機。
【請求項７】
前記通話のために用いる外部機器が前記携帯電話機へ接続されているときは、前記第２の表示制御手段による前記表示部の制御を行わないことを特徴とする請求項１乃至６のいずれか１項に記載の携帯電話機。
【請求項８】
前記入力受付手段は、少なくとも前記通信手段における前記通話を指示する第１の操作と、第２の操作からなり、
前記第２の表示制御手段は、前記通話の間は前記入力受付手段における第１の操作を有効とし、第２の操作を無効とすることを特徴とする請求項１乃至７のいずれか1項に記載
の携帯電話機。
【請求項９】
前記入力受付手段は、前記表示部と一体となるように設けられた、入力座標を検知するタッチパネル入力部によって構成され、
前記表示部は、前記受話部の設けられた側の一方端領域と、前記一方端領域とは反対側の他方端領域からなり、
前記第2の表示制御手段は、前記通話の間は、前記通話を終了させる終話操作を行う機
能を割当てた前記操作ボタンを前記他方端領域へ表示することを特徴とする請求項１乃至８のいずれか1項に記載の携帯電話機。
【請求項１０】
文字および図形を表示する表示部と、
送話部と、受話部とを備えた携帯電話機の表示方向制御プログラムであって、
前記表示部の表示方向を、第１の表示方向あるいは第２の表示方向へ変更する第１の表示制御機能と、
基地局との無線通信回線を通じて通話を行う通信機能と、
前記通話機能による通話を開始する際に、前記送話部を上側、前記受話部を下側とした前記第１の表示方向での表示を行うように前記表示部を制御する第２の表示制御手段とを備えたことを特徴とする携帯電話機の表示方向制御プログラム。 
【発明の詳細な説明】
【技術分野】
【０００１】
本発明は複数の入力画面を切り替える機能を持ち、特にタッチパネルによって入力を行う携帯電話機、及び携帯電話機の表示方向制御プログラムに関する。
【背景技術】
【０００２】
近年、携帯電話機の表示機能の高性能化に伴って、ディスプレイの表示方向を変化させることが可能な携帯電話機が実用化されている。携帯電話機のディスプレイには、例えば電子メール、インターネット上のコンテンツ、テレビ動画や通話中の通話情報表示など、様々なものが表示される。こうした様々な表示対象を視認し易い方向に表示するため、ディスプレイ中の表示対象を回転させて表示する機能と、表示方向を切り替えるボタンを備えた発明が公開されている（例えば、特許文献１を参照）。
【０００３】
また、携帯電話機の中でも傾き検出信号を出力する加速度センサを備えたものは、携帯電話機の地面に対する傾きを認識することが可能である。これにより、携帯電話機が地面に対して縦向きに把持されている場合は表示方向を縦向きとし、横向きに把持されている場合は表示方向を横向きとする発明が公開されている（例えば、特許文献１を参照）。携帯電話機の地面に対する角度に合わせて画面を回転させることで、使用者の閲覧し易い向きでディスプレイを表示させることができる。
【先行技術文献】
【特許文献】
【０００４】
【特許文献１】特開２００４−７２７５４号公報
【特許文献２】特開２００８−１３１６１６号公報
【発明の概要】
【発明が解決しようとする課題】
【０００５】
先に述べたような、地面に対する角度に合わせて表示方向を変更する携帯電話機を用いて通話を行う場合を考える。通常こうした携帯電話機は、筐体上部に通話相手の音声を放音するスピーカを、筐体下部に使用者の音声を集音するマイクロフォンを備えている。そのため、使用者は耳にスピーカを、口にマイクロフォンを近づけるために携帯電話機を使用者に対し縦方向に把持することとなる。しかし、使用者が通話しながら寝転んだ場合など、携帯電話機の角度が変化した場合には、携帯電話機の地面に対する角度が変化するため、表示方向が使用者に対し横方向に変更される場合がある。使用者にとって携帯電話機を把持する方向と表示方向とが一致しないために、通話中の画面に表示される通話相手や通話時間、あるいは時刻情報といった情報が視認し辛くなってしまうという問題があった。
【０００６】
本発明は上記問題点を解決するためになされたもので、携帯電話機の通話に応じて表示方向を切り替えることが可能な携帯電話機、あるいは携帯電話機の表示方向制御プログラムを提供する。
【課題を解決するための手段】
【０００７】
前記目的を達成するために、本発明の携帯電話機は、入力を受け付ける入力受付手段と、基地局との無線通信回線を通じて通話を行う通信手段と、図形および文字を表示する表示部と、前記表示部の表示方向を、第１の表示方向あるいは第２の表示方向へ変更する第１の表示制御手段とを備えた携帯電話機であって、前記通話手段による通話を開始する際に、前記表示方向を第１の表示方向へ変更するよう前記表示部を制御する第２の表示制御手段とを備えたことを特徴とする。
【０００８】
また、本発明の携帯電話機の表示方向制御プログラムは、  文字および図形を表示する表示部と、送話部と、受話部とを備えた携帯電話機の表示方向制御プログラムであって、前記表示部の表示方向を、第１の表示方向あるいは第２の表示方向へ変更する第１の表示制御機能と、基地局との無線通信回線を通じて通話を行う通信機能と、前記通話機能による通話を開始する際に、前記送話部を上側、前記受話部を下側とした前記第１の表示方向での表示を行うように前記表示部を制御する第２の表示制御手段とを備えたことを特徴とする。
【発明の効果】
【０００９】
本発明によれば、携帯電話機の通話に応じて表示方向を切り替えることで、通話中の使用者にとって視認し易い画面表示を行うことが可能な携帯電話機、あるいは携帯電話機の表示方向制御プログラムを提供できる。
【図面の簡単な説明】
【００１０】
【図１】本発明の実施形態に係る携帯電話機の、外観の構成を示す図。
【図２】本実施形態における携帯電話機の内部の構成を示す図。
【図３】本実施形態における通話中の携帯電話機の方向が変化した場合の、ディスプレイの画面表示を示した図。
【図４】本実施形態における、ヘッドセットを接続して通話を行う携帯電話機の方向が変化した場合の、ディスプレイの画面表示を示した図。
【図５】本実施形態における、ヘッドセットを接続して通話を行う携帯電話機におけるディスプレイの表示方向を制御する処理のフローチャート。
【図６】本実施形態における、操作ボタンをロックし、終話ボタンを移動させて表示する際の、ディスプレイの画面表示を示した図。
【図７】本実施形態における、携帯電話機の傾きに応じてディスプレイの表示方向を切り替える際の画面表示を示した図。
【発明を実施するための形態】
【００１１】
以下、本発明の実施の形態について図面を参照して説明する。
（携帯電話機の構成）
図１は、本発明に係る携帯電話機１の外観の構成を示す図である。図１（ａ）は、携帯電話機１を正面から見た外観の構成を示し、図１（ｂ）は携帯電話機を側面から見た外観の構成を示している。
【００１２】
図１（ａ）に示されるように、携帯電話機１の正面にはディスプレイ１０が設けられており、文字や図形の表示を行う。また、ディスプレイ１０に重なるようにタッチパネル４が設けられており、使用者はタッチパネル４に触れることで入力を行う。タッチパネル４は感圧式、静電式などの公知の入力方法を用いることができる。感圧式の場合、例えばわずかな間隔を設けた導通性の薄膜をディスプレイ内部に設ける。指やあるいはタッチペンなどが薄膜を押圧することで薄膜が接触し、接触した地点に電流が流れる。この電流が流れた座標を後述する制御部３１へ通知することで、制御部３１は入力を受けた座標（以下、単に入力座標と表記する）に対応する処理を行う。
【００１３】
また、図１（ｂ）に示されるように、携帯電話機１の側面にはサイドキー５が設けられる。サイドキー５にはマナーモード移行やメニュー呼出などの役割が割当てられており、サイドキー５が押下されるとこれを検出して、後述する制御部３１へ通知する。使用者はタッチパネル４の代わりにサイドキー５の押下によっても操作を行うことができる。
【００１４】
また、携帯電話機１の内部の所定の位置には、携帯電話機１に掛かる重力加速度を検出する加速度センサ１２が設けられており、例えば携帯電話機１の地面に対する角度を検出する。重力加速度の方向を検出する方法としては、例えばピエゾ抵抗器によって支えられるダイヤフラムの位置の変化を検出する方法や、静電容量の変化を検出する方法、あるいは傾きに応じて発生する反射光の変化を検出する方法など、様々な公知の方法を用いることができる。
【００１５】
図２は、本実施形態における携帯電話機１の内部の構成を示すブロック図である。
【００１６】
後述する電波基地局８４から送信された無線信号は、アンテナ２１で受信された後、アンテナ共用器（ＤＵＰ）２２を介して受信回路（ＲＸ）２３に入力される。受信回路２３は、受信された無線信号と周波数シンセサイザ（ＳＹＮ）２４から出力された局部発信信号とをミキシングして中間周波数信号に周波数変換（ダウンコンバート）される。そして、受信回路２３によってこのダウンコンバートされた中間周波数信号が復調され、受信ベースバンド信号として出力される。
【００１７】
受信回路２３から出力された受信ベースバンド信号は、ＣＤＭＡ（Ｃｏｄｅ  Ｄｉｖｉｓｉｏｎ  Ｍｕｌｔｉｐｌｅ  Ａｃｃｅｓｓ）信号処理部２６に入力される。ＣＤＭＡ信号処理部２６は、図示せぬＲａｋｅ受信器を備える。このＲａｋｅ受信器では受信ベースバンド信号に含まれる複数のパスがそれぞれの拡散符号（即ち、拡散された受信信号の拡散符号と同一の拡散符号）で逆拡散処理される。そして、この逆拡散処理された各パスの信号は、位相を回転させた後にコヒーレントＲａｋｅ合成される。Ｒａｋｅ合成後のデータ系列は、デインターリーブおよびチャネル復号（誤り訂正復号）が行われた後、２値のデータ判定が行われる。これにより、ＣＤＭＡ信号処理部２６によって、所定の伝送フォーマットの受信パケットデータが生成される。この受信パケットデータは、ＣＤＭＡ信号処理部２６から圧縮／伸張処理部２７へ入力される。ＣＤＭＡ信号処理部２６は、ＤＳＰ（Ｄｉｇｉｔａｌ  Ｓｉｇｎａｌ  Ｐｒｏｃｃｅｓｓｏｒ）から構成される。
【００１８】
圧縮／伸張処理部２７は、ＣＤＭＡ信号処理部２６から出力された受信パケットデータを図示せぬ多重分離部によって、音声信号、データ信号などのメディア毎に分離し、その分離したメディアに対応してそれぞれ復号処理が行われる。
【００１９】
一方、マイクロフォン７に入力された使用者の音声信号は、送話増幅器３０により適正レベルまで増幅された後、ＰＣＭコーデック２８によりＰＣＭ符号化される。このＰＣＭ符号化されたディジタルオーディオ信号は、圧縮／伸張処理部２７に入力される。また、制御部３１で生成されたメールなどのデータ信号なども、圧縮／伸張処理部２７に入力される。圧縮／伸張処理部２７は、ＰＣＭコーデック２８から出力されたディジタルオーディオ信号あるいは制御部３１から出力されたデータ信号を、所定の送信データレートに応じたフォーマットで圧縮符号化する。その後、圧縮符号化された信号は、図示せぬ多重分離部で所定の伝送フォーマットにしたがって多重化された後にパケット化される。パケット化された後の送信パケットデータはＣＤＭＡ信号処理部２６に出力される。ＣＤＭＡ信号処理部２６は、圧縮／伸張処理部２７から出力された送信パケットデータに、スペクトラム拡散処理を施し拡散信号を生成する。このスペクトラム拡散処理は、送信チャネルに割り当てられた拡散符号を用いて行われる。ＣＤＭＡ信号処理部２６によって生成された拡散信号は、送信回路（ＴＸ）２５へ出力される。送信回路２５は、拡散信号をＱＰＳＫ（Ｑｕａｄｒａｔｕｒｅ  Ｐｈａｓｅ  Ｓｈｉｆｔ  Ｋｅｙｉｎｇ）方式などのディジタル変調方式を使用し変調する。更に送信回路２５は、拡散信号と周波数シンセサイザ２４から発生される局部発信信号とを合成し、無線信号に周波数変換（アップコンバート）する。そして送信回路２５は、制御部３１により指示される送信電力レベルを満たすようにアップコンバートされた無線信号を増幅する。この増幅された無線信号は、アンテナ共用器２２を介してアンテナ２１へ供給され、このアンテナ２１から後述する電波基地局８４に向けて無線信号が送信される。
【００２０】
携帯電話機１には制御部３１が設けられる。制御部３１はＣＰＵ（Ｃｅｎｔｒａｌ  Ｐｒｏｃｅｓｓｉｎｇ  Ｕｎｉｔ）などの電子回路から構成される。ＣＰＵは、後述するＲＯＭ（Ｒｅａｄ  Ｏｎｌｙ  Ｍｅｍｏｒｙ）またはＲＡＭ（Ｒａｎｄｏｍ  Ａｃｃｅｓｓ  Ｍｅｍｏｒｙ）にロードされた各種のアプリケーションプログラムに従って処理を実行する。更にＣＰＵは、上述した各回路部から供給される信号を処理し、また種々の制御信号を生成し、各回路部へ供給する。これらの処理により、ＣＰＵは携帯電話機１を統括的に制御する。またタッチパネル４の入力座標の通知に応じて、ディスプレイ１０上に表示した操作ボタンの座標と入力座標とが一致するか否かを判断する。これが一致する場合には操作ボタンに割当てられた、例えばメニュー操作や文字入力、あるいは発呼、着呼などの各種処理を実行する。
【００２１】
記憶部３２は、例えば、ＲＯＭ、ＲＡＭや電気的に書き換えや消去が可能な不揮発性メモリであるフラッシュメモリ素子、およびＨＤＤ（Ｈａｒｄ  Ｄｉｓｃ  Ｄｒｉｖｅ）などから構成され、制御部３１のＣＰＵにより実行される種々のアプリケーションプログラムやデータ群が格納されている。ＲＡＭにはＣＰＵが各種の処理を実行する上で必要なデータや、ディスプレイ１０に表示される画像に関する情報が記憶される。
【００２２】
（表示方向の変更処理）
図７は、本実施形態における携帯電話機１の、ディスプレイ１０の画面表示例を示している。図７（ａ）は携帯電話機１を地面に対して縦向きにした際に、地面に対して縦向きの画面表示が行われる場合を、図７（ｂ）は携帯電話機１を地面に対して横向きにした際に、地面に対して横向きの画面表示が行われる場合をそれぞれ示している。図７においては例として、文字入力を行う画面表示例を示しているが、他に電子メール、インターネット上のコンテンツ、テレビ動画や携帯電話機１の設定画面など、様々な画面表示に対して表示方向の変更処理が行われる。
【００２３】
図７に示すようにディスプレイ１０の画面表示の方向は、使用者が携帯電話機１を把持する方向に応じて変化する。携帯電話機１の方向を認識する方法としては、例えば加速度センサ１２を用いる方法が考えられる。先に述べたように、加速度センサ１２を２軸あるいは３軸にわたって設けることで、携帯電話機１の地面に対する傾きが検出される。
【００２４】
ディスプレイ１０の画面表示の方向の制御は、例えば以下の様にして行われる。加速度センサ１２は携帯電話機１の地面に対する傾きが変化すると、変化した傾きを傾き検出信号として制御部３１へ出力する。制御部３１はこの傾き検出信号を受信して、現在のディスプレイ１０の表示方向と、携帯電話機１の地面に対する方向を比較する。傾き検出信号から制御部が認識した携帯電話機１の地面に対する傾き角度と、ディスプレイ１０の表示方向とが一致していない場合は、表示方向を変更する画面表示制御信号をディスプレイ１０へ出力する。ディスプレイ１０は画面表示制御信号を受信して、表示方向の変更を行う。
【００２５】
携帯電話機１の方向を認識する方法としてジャイロセンサや地磁気センサなど、他の方法を適宣用いても構わない。
【００２６】
ディスプレイ１０の形状が例えば長方形などの、９０度回転対称でない形状である場合には、縦方向と横方向とで使用者によるディスプレイ１０の見え方が異なる。そのため、例えば地面に対して縦方向から横方向へ携帯電話機の向きを変化させた場合には、図７（ａ，ｂ）に示すように文字、キーボードといった表示要素の縦横比率を変化させ、あるいは表示要素の表示位置を変化させる。更に、各表示要素を回転させて表示することで、表示方向の変更を行う。
【００２７】
こうした動作により、携帯電話機１の地面に対する傾きに応じてディスプレイ１０の表示方向が変化する。よって、使用者は携帯電話機１を把持する方向が変化した場合であっても、地面方向を下としてディスプレイ１０を表示させることができる。
【００２８】
例えば図１に示すような長方形のディスプレイ１０を備えた携帯電話機を用いて文字入力や電子メールを閲覧する場合には、使用者は携帯電話機１を地面に対して長辺が下に来るよう傾ける。携帯電話機１の傾き変化に伴って加速度センサ１２から出力される傾き検出信号を受けて、制御部３１はディスプレイ１０の表示方向を携帯電話機１に対して横方向に変化させる。ディスプレイ１０の表示方向が横方向へ変化することでディスプレイ１０の一行に表示可能な文字数が増加するため、使用者にとっての視認性が良くなる。一方、携帯電話機１の使用画面やメニュー画面などを表示する場合には、使用者は携帯電話機１を地面に対して短辺が下に来るよう傾ける。携帯電話機１の傾き変化に伴って加速度センサ１２から出力される傾き検出信号を受けて、制御部３１はディスプレイ１０の表示方向を携帯電話機１に対して縦方向に変化させる。ディスプレイ１０の表示方向が縦方向へ変化することで使用者は携帯電話機１を把持しやすい縦方向で操作することができるため、使用者にとっての操作性が高まる。このように、携帯電話機１が行う処理に応じて視認し易い、あるいは操作の行い易い向きへ使用者が携帯電話機１を傾けることで、使用者にとって好ましい表示方向で携帯電話機１を使用することができる。
【００２９】
なお、ここでは例として加速度センサ１２が出力した傾き検出信号に応じて自動的にディスプレイ１０の表示方向を変化させる例を述べた。しかし、携帯電話機１の表示方向を変化は必ずしも自動的に行われる必要はなく、例えばディスプレイ１０の表示方向を変化させる表示方向変化ボタンを設け、表示方向変化ボタンが入力された際にディスプレイの表示方向を変化させるものであっても構わない。あるいは、複数の筐体から構成され、ディスプレイ１０の設けられた筐体が回転移動し、あるいは一方の筐体がスライド移動するような携帯電話機１において、筐体が移動したことを契機にディスプレイ１０の表示方向を変化させるものであっても構わない。
【００３０】
（通話画面の表示処理）
先に、携帯電話機１を傾けることでディスプレイ１０の表示方向を変化させる動作を述べた。例えば加速度センサ１２を用いる場合は、使用者は携帯電話機１を傾けることで好ましい表示方向で携帯電話機１を使用することができる。ここで、使用者が携帯電話機１を用いて通話を行う場合を考える。携帯電話機１は図１に示すように、ディスプレイ１０の上部にスピーカ８が、ディスプレイの下部にマイクロフォン７が設けられる。通話の際には使用者は耳にスピーカ８を、口にマイクロフォン７を近づけるために、携帯電話機１は使用者に対して縦方向に把持される。このため、使用者が通話中にディスプレイ１０に表示される情報を確認する際には、携帯電話機１の傾きなどに関係なく、表示方向を使用者にとっての縦方向とする必要がある。そこで、本発明の携帯電話機１においては、携帯電話機１が通話を行う際に、使用者が携帯電話機１を把持する方向とディスプレイ１０の表示方向とが合うように、表示方向を携帯電話機１に対して縦方向となるよう変更する。
【００３１】
更に、制御部３１が加速度センサ１２から出力された傾き検出信号を受信した場合であっても、通話中は傾き検出信号に応じたディスプレイ１０の表示方向制御を行わない。制御部３１が表示方向制御を行わないことで、通話中はディスプレイ１０の表示方向が縦方向に維持される。
【００３２】
図３は、本実施形態における携帯電話機１が通話を行う際の、ディスプレイ１０の画面表示例を示している。ディスプレイ１０の上部には、アンテナ２１の電波受信強度を示すアンテナピクトや、携帯電話機１に内蔵されたバッテリの電池残量を示す電池ピクト、あるいは現在時刻を示す時刻情報などが表示される。ディスプレイ１０の中央には、例えば通話のステータスを示す文字列や、通話先の電話番号、あるいは通話時間といった情報を表示する情報表示ウィンドウ４１が表示される。ディスプレイ１０の下部には、例えばダイヤル操作を行うための数字ボタン４２、入力した発呼先番号の削除や短縮ダイヤル、あるいは着信履歴の参照などの操作を行う制御ボタン４３、そして通話中の回線を切断する終話ボタン４０などが表示される。
【００３３】
地面に対して横方向に傾けられた携帯電話機１が通話を開始すると、制御部３１はディスプレイ１０の表示方向を縦方向へ変更する。更に、図３（ｂ）および図７（ｂ）に示すように、通話状態にある携帯電話機１を地面に対して横方向に傾けた場合であっても、制御部３１はディスプレイ１０の表示方向を変更する制御を行わない。その結果、ディスプレイ１０の表示方向は携帯電話機１に対して縦方向に維持される。
【００３４】
通話時のディスプレイ１０における表示方向の制御は、例えば以下の様にして行われる。まず、通話が開始されたことを制御部３１が検知すると、制御部３１は表示方向を縦方向へ変更する表示制御信号をディスプレイ１０へ出力する。更に、制御部３１は通話がなされている間は、加速度センサ１２が出力する傾き検出信号を制御部３１が受信した場合であっても、制御部３１はディスプレイ１０の表示方向を変更する表示制御信号の出力を行わない。制御部３１は通話が終了したことを検知すると、加速度センサ１２からの傾き検出情報を受信して、ディスプレイ１０の表示方向と携帯電話機１の地面に対する傾きが一致しない場合は、傾き検出信号に基づいて表示方向を変更する表示制御信号をディスプレイ１０へ出力する。
【００３５】
また、本実施例では例として、通話中にある携帯電話機１が地面に対して横方向に傾けられ、制御部３１が加速度センサ１２の出力した傾き検出信号を受信した場合に、制御部３１が表示制御信号の出力を行わないことで縦方向の表示を維持する場合を述べた。しかし、通話を開始する際にディスプレイ１０の表示方向を携帯電話機１に対して縦方向に変更し、通話中は加速度センサ１２の傾き検知動作を無効化するか、あるいは加速度センサ１２からの傾き検出信号の出力を停止することでも、同様の発明の効果が得られる。
【００３６】
以上の処理によって、携帯電話機１が通話を開始すると、使用者が携帯電話機１を把持する方向とディスプレイ１０の表示方向とが合うように、制御部３１はディスプレイ１０の表示方向が携帯電話機１に対して縦方向となるよう変更する。また、制御部３１が加速度センサ１２からの傾き検出信号を受信した場合であっても、制御部３１は表示制御信号の出力を行わない。これにより、使用者は携帯電話機１の地面に対する傾きに関わらず、ディスプレイ１０の表示方向を縦方向に維持したままで通話を行うことができる。
【００３７】
また、図３（ａ）に示すようにディスプレイ１０中には終話ボタン４０が表示されている。本発明によれば、図３（ｂ）に示すように携帯電話機１を地面に対して横方向に傾けた場合であっても、終話ボタン４０の位置が移動しない。これにより、携帯電話機１が傾いた場合に、画面表示方向の変更に伴って終話ボタン４０が移動し、終話ボタン４０と使用者の頭部とが触れることで意図せぬ終話操作が行われてしまう事態を回避することができる。
【００３８】
なお、本実施例では例として、通話処理が開始したことを契機にディスプレイ１０の表示方向を携帯電話機１に対して縦方向となるよう制御する例を述べたが、例えば使用者によって通話を開始する操作が行われたことを契機に同様の表示方向の制御を行っても構わない。また、着信が行われたことを契機に同様の表示方向の制御を行っても構わない。
【００３９】
（ヘッドセット接続時の表示方向操作）
近年、イヤホンとマイクロフォンとを携帯電話機１に接続し、携帯電話機１に取り付けられたスピーカ８およびマイクロフォン７によらず、接続したイヤホンとマイクロフォンによって通話を行う技術が実用化されている。携帯電話機１に接続されるイヤホンとマイクロフォンとの組は一般にヘッドセット２０と呼ばれ、使用者はヘッドセット２０を用いることで、携帯電話機１を把持することなく通話を行うことができる。
【００４０】
こうしたヘッドセット２０を携帯電話機１に接続して通話を行う際には、使用者はスピーカ８およびマイクロフォン７を耳および口に近づける必要がないために、使用者にとって把持し易い方向で携帯電話機１を把持することができる。従って、ヘッドセット２０を接続して通話を行う場合には、携帯電話機１の傾きに応じてディスプレイ１０の表示方向を変化させることが望ましい。図４にヘッドセット２０を接続した際の、通話中の携帯電話機１におけるディスプレイ１０の画面表示の例を示す。
【００４１】
以下に、ヘッドセット２０を接続した通話状態での画面表示方向制御処理について述べる。図５は、画面表示方向制御処理の流れについて述べたフローチャートである。まず、制御部３１が通話を開始したことを検知すると（ステップ１００）、制御部３１は携帯電話機１にヘッドセット２０が接続されているか否かを判断する（ステップ１０１）。ヘッドセット２０が接続されていない場合は（ステップ１０１のＮｏ）、制御部３１は表示方向を縦方向に変更する表示制御信号をディスプレイ１０へ出力し（ステップ１０３）、処理を終了する（ステップ１０５）。一方、ヘッドセット２０が接続されている場合は（ステップ１０１のＹｅｓ）、制御部３１は加速度センサ１２が出力する傾き検出信号から、携帯電話機１の地面に対する傾きを検知する（ステップ１０２）。携帯電話機１が地面に対して縦方向に傾けられている場合は（ステップ１０２の「縦向き」）、制御部３１は表示方向を縦方向に変更する表示制御信号をディスプレイ１０へ出力し（ステップ１０３）、処理を終了する（ステップ１０５）。一方、携帯電話機１が地面に対して横方向に傾けられている場合は（ステップ１０２の「横向き」）、制御部３１は表示方向を横方向に変更する表示制御信号をディスプレイ１０へ出力し（ステップ１０４）、処理を終了する（ステップ１０５）。
【００４２】
以上の処理によって、ヘッドセット２０が接続された携帯電話機１が通話を開始し、更に携帯電話機１が地面に対して横方向に傾けられている場合には、制御部３１は図４（ｂ）に示すようにディスプレイ１０の表示方向が地面に対して横方向となるよう制御する。これにより、使用者にとって視認し易い方向でディスプレイ１０を表示することができる。
【００４３】
また、携帯電話機１にヘッドセット２０が接続されていない場合は、制御部３１は通話を開始した際にディスプレイ１０の表示方向が縦方向となるよう制御すると述べた。一方
、ヘッドセット２０が接続されている場合には、表示方向は携帯電話機１の地面に対する傾き変化に応じて適宣変更することが望ましい。そのため、携帯電話機１にヘッドセット２０が接続された状態で通話を行う場合は、制御部３１は加速度センサ１２からの傾き検出信号の出力によって、携帯電話機１の地面に対する傾きを検知する。携帯電話機１の地面に対する傾きと表示方向とが異なる場合は、制御部３１は表示方向制御信号をディスプレイ１０へ出力し、表示方向の変更を行う。
【００４４】
なお、本実施例においては例としてヘッドセット２０はスピーカとマイクロフォンとの組であると述べたが、ヘッドセット２０はマイクロフォンだけから構成されても構わないし、スピーカだけから構成されても構わない。ヘッドセット２０は無線接続によって携帯電話機１と接続されるものであっても構わない。あるいは、ヘッドセット２０に限らずカメラやディスプレイなどの外部機器が携帯電話機１へ接続されている場合に同様の表示方向制御の処理を行っても構わない。
【００４５】
また、使用者がテレビ電話を用いた通話を行い、使用者の頭部と携帯電話機１とが離れた状態で携帯電話機１を使用する際に、ヘッドセット２０を接続した場合と同様の処理を行っても構わない。
【００４６】
（終話ボタンの表示）
通話中の使用者はスピーカ８に耳を、マイクロフォン７に口を近づけているために、使用者の頭部と操作ボタンが触れることで誤動作を引き起こす虞がある。そのため、通話中はディスプレイ１０上の操作ボタンの入力を受け付けないように無効化することが望ましい。図５は、通話中の携帯電話機１が操作ボタンを無効化した際の、ディスプレイ１０における画面表示例を示している。図５に示すように、通話を開始した場合には数字ボタン４２や制御ボタン４３の入力を受け付けないよう無効化する。更に、終話ボタン４０の大きさを例えば制御ボタン４３より小さくした、第２の終話ボタン４４を画面下部に表示させる。第２の終話ボタン４４は例えば、ディスプレイ１０のマイクロフォン７に近づけた場所に表示させる。第２の終話ボタン４４の大きさは他の適当な操作ボタンの大きさに比べ小さなものとして構成しても構わない。
【００４７】
通常、携帯電話機１を用いて通話を行う際に、通常使用者の頭部はスピーカ８に近い領域で接触する。一方、マイクロフォン９に近い領域は使用者の頭部から離れた状態にある。マイクロフォン９に近い領域に第２の終話ボタン４４を表示させ、その他の操作ボタンを無効化することで、通話中の使用者の体勢が変化した場合であっても誤操作を防止することができる。また、第２の終話ボタン４４を小さく表示することで、使用者の頭部などが意図せずディスプレイ１０に触れた場合に、第２の終話ボタン４４が操作されてしまう事態を防ぐことができる。
【００４８】
第２の終話ボタン４４の表示位置は図６に示した位置に限らず、様々な表示位置に表示させることが可能である。例えば、第２の終話ボタン４４をディスプレイ１０上の、マイクロフォン７側の一辺に接した中央部分に表示させてもよい。あるいは、ディスプレイ１０をスピーカ８側とマイクロフォン７側との２つの領域に等分し、スピーカ８側を一方端領域５０、マイクロフォン７側を他方端領域５１とするときに、他方端領域のうちのいずれかの場所に表示させても構わない。なお、第２の終話ボタン４４の形状およびサイズは図６に示したものに限らず、例えば「通話終了」などの文字を表示したものや、あるいは楕円形あるいは多角形のボタン領域に囲まれて表示されたものを用いても構わない。
【００４９】
また、通話中の使用者が誤操作を行う虞が無い場合には、操作ボタンを無効化せずに通話処理を行う場合が考えられる。図５（ｃ，ｄ）に、操作ボタンを無効化せず第２の終話ボタン４４を表示した際の、ディスプレイ１０における画面表示例を示している。通話の際に操作ボタンの無効化を行うか否かを予め使用者が設定し、この設定情報を記憶部３２に記憶しておく。例えば使用者は、通話中に誤操作を行う虞が無い場合に、操作ボタンの無効化を行わない設定情報を記憶部３２に記憶させる。制御部３１が通話処理を開始すると、制御部３１は記憶部３２から設定情報を読み出し、この設定情報が通話中に操作ボタンを無効化しない設定である場合には、操作ボタンを有効にした状態で通話処理を行う。
【００５０】
これにより、使用者は通話中に誤操作の虞の無い場合に、全ての操作ボタンを用いて携帯電話機１の操作を行うことができる。
【００５１】
以上の発明の動作によれば、ディスプレイ１０の表示方向を変化させる携帯電話機１において、通話中に表示方向の制御を行うことで、使用者の視認のし易い方向でディスプレイ１０を表示させることができる。
【００５２】
また、通話中に操作ボタンを数字ボタン４２や制御ボタン４３の操作を無効化し、小さな第２の終話ボタン４４をディスプレイ１０の下部に表示する。これにより、通話中に使用者が誤ってディスプレイ１０に触れてしまった場合であっても、意図せぬ動作が行われてしまう状況を避けることができる。
【００５３】
なお、ここに述べた実施の形態において、タッチパネル４を入力受付手段として用いる携帯電話機を挙げて説明を行った。しかし、タッチパネル４の他に押しボタンやキーボードなど、種々の入力デバイスを用いて入力受付手段を構成しても構わない。また、ディスプレイ１０は例として長方形の形状である場合を述べたが、楕円形や多角形など、種々の形状によってこれを構成しても構わない。また、終話ボタン４０、数字ボタン４２、制御ボタン４３、あるいは情報表示ウィンドウ４１のレイアウトや形状は図に示した限りではなく、種々の変形が可能である。要するに本発明は、上記実施形態に限定されるものではなく、発明の要旨を逸脱しない範囲であれば、構成要素を変形して具体化しても良い。また、上記各実施形態に開示されている複数の構成要素の適宣な組み合わせにより、種々の発明を形成しても良い。例えば、各実施形態に示される全構成要素から幾つかの構成要素を削除してもよい。
【符号の説明】
【００５４】
１  携帯電話機
４  タッチパネル
７  マイクロフォン
８  スピーカ
１０  ディスプレイ
１２  加速度センサ
２０  ヘッドセット
２１  アンテナ
３１  制御部
３２  記憶部
４０  終話ボタン
４１  情報表示ウィンドウ
４２  数字ボタン
４３  制御ボタン
５０  一方端領域
５１  他方端領域 
【図１】
2010263433.tif 000003
【図２】
2010263433.tif 000004
【図３】
2010263433.tif 000005
【図４】
2010263433.tif 000006
【図５】
2010263433.tif 000007
【図６】
2010263433.tif 000008
【図７】
2010263433.tif 000009